(57)【要約】【課題】若い女性等にも違和感なく所持でき、且つアミューズメント施設の利用関連情報を容易に管理できるＩＣ（集積回路）タグを用いたアミューズメント施設情報管理システムを提供すること。【解決手段】ＩＣチップ３１と被印刷部材４０とタグ本体３２と接続部材３７とを有するアミューズメント施設情報管理用ＩＣタグ３０と、アミューズメント施設入場情報入力手段５３と固有情報抽出手段５２と固有情報入力手段５３と固有情報等送信手段５０ａ、５０ｂと印刷手段５７とを有するアミューズメント施設入場情報入力装置５０と固有情報記憶手段１５３とアミューズメント施設入場情報確認手段７０ｄとアミューズメント施設既入場情報入力手段７０ｆと、を有するアミューズメント施設情報管理装置１１とを備えることを特徴とするアミューズメント施設情報管理システム１０。【選択図】  図１
2005010929.tif 000002
【特許請求の範囲】
【請求項１】
非接触且つ近接することで情報の送受信を行うアンテナ手段と、
前記アンテナ手段で送受信された情報を格納する情報記憶手段と、を備えるＩＣチップと、
任意の画像を表面に印刷可能な被印刷部材と、
前記ＩＣチップと前記被印刷部材とを配置するためのタグ本体と、
前記タグ本体を携帯端末に接続するための接続部材と、を有するアミューズメント施設情報管理用ＩＣタグと、
前記情報記憶手段に、アミューズメント施設入場可能情報を入力するアミューズメント施設入場情報入力手段と、
前記携帯端末の固有情報を抽出する固有情報抽出手段と、
前記携帯端末の前記固有情報を前記情報記憶手段に記録する固有情報入力手段と、
前記アミューズメント施設入場可能情報及び当該携帯端末の固有情報とを関連付けてアミューズメント施設情報管理装置に送信する固有情報等送信手段と、
前記被印刷部材に任意の画像を印刷する印刷手段と、を有するアミューズメント施設入場情報入力装置と、
前記固有情報等送信手段で送信された前記アミューズメント施設入場可能情報及び前記当該携帯端末の固有情報とを関連付けて記憶する固有情報記憶手段と、
前記情報記憶手段内に格納されたアミューズメント施設入場可能情報の有無を確認するためのアミューズメント施設入場情報確認手段と、
前記アミューズメント施設入場情報確認手段でアミューズメント施設入場可能情報を確認すると既入場情報を前記固有情報記憶手段に前記携帯端末の固有情報と関連付けて記憶させるアミューズメント施設既入場情報入力手段と、を有するアミューズメント施設情報管理装置と、
を備えることを特徴とするアミューズメント施設情報管理システム。
【請求項２】
前記アミューズメント施設入場情報入力装置が、利用者情報を入力する利用者情報入力手段と、
前記アミューズメント施設入場可能情報、前記携帯端末の固有情報及び前記利用者情報を関連付けてアミューズメント施設情報管理装置に送信する利用者情報等送信手段と、を有し、
前記アミューズメント施設情報管理装置が、前記アミューズメント施設入場情報入力装置の前記利用者情報等送信手段で送信された前記アミューズメント施設入場可能情報及び前記携帯端末の固有情報及び前記利用者情報と、前記アミューズメント施設入場情報確認手段の前記既入場情報と、を関連付けて記憶する利用者情報等記憶手段を有し、
アミューズメント施設に関する施設関連情報の検索情報を提供する施設情報更新装置を有し、
前記施設情報更新装置からの前記検索情報に基づいて前記利用者情報等記憶手段内の前記アミューズメント施設入場可能情報、前記携帯端末の固有情報、前記利用者情報及び前記既入場情報を検索し、前記施設関連情報を提供すべき前記携帯端末を選択する携帯端末選択装置を有し、
前記携帯端末選択装置で選択された携帯端末に対し前記施設関連情報を送信する施設関連情報送信手段を有することを特徴とする請求項１に記載のアミューズメント施設情報管理システム。
【請求項３】
アミューズメント施設内のアトラクションの入場を管理するアトラクション入場管理装置を有し、
前記アトラクション入場管理装置は、アトラクション利用予約装置とアトラクション入場装置とを有し、
前記アトラクション利用予約装置は、前記アミューズメント施設情報管理用ＩＣタグから前記携帯端末の固有情報を取得する固有情報取得手段と、
前記アミューズメント施設情報管理用ＩＣタグに前記固有情報と共に、予約情報を入力する予約情報入力手段と、
これら予約情報及び前記固有情報を前記アミューズメント施設情報管理の予約情報記憶手段に送信する予約情報等送信手段と、を有し、
前記アトラクション入場装置は、アミューズメント施設情報管理用ＩＣタグから入力された前記予約情報及び前記固有情報と、前記予約情報記憶手段内の前記予約情報及び前記固有情報とを照合する予約情報等照合手段を有することを特徴とする請求項１又は請求項２に記載のアミューズメント施設情報管理システム。
【請求項４】
前記アミューズメント施設情報管理装置と接続する販売店端末装置を有し、
前記販売店端末装置は、前記アミューズメント施設情報管理用タグから前記携帯端末の固有情報を抽出する端末情報抽出手段と、
前記端末情報抽出手段で抽出された前記携帯端末の固有情報と、販売店の販売情報とを関連付けてアミューズメント施設情報管理装置に送信する販売情報等送信手段と、を有し、
前記アミューズメント施設情報管理装置は、前記販売店端末装置の前記販売情報等送信手段で送信された前記携帯端末の固有情報と、販売店の販売情報とを関連付けて登録する販売店情報等記憶手段を有することを特徴とする請求項１乃至請求項３のいずれかに記載のアミューズメント施設情報管理システム。
【請求項５】
非接触且つ近接することで情報の送受信を行うアンテナ手段と、
前記アンテナ手段で送受信された情報を格納する情報記憶手段と、を備えるＩＣチップと、
任意の画像を表面に印刷可能な被印刷部材と、
前記ＩＣチップと前記被印刷部材とを配置するためのタグ本体と、
前記タグ本体を携帯端末に接続するための接続部材と、を有するアミューズメント施設情報管理用ＩＣタグであって、
前記情報記憶手段には、アミューズメント施設入場情報入力装置のアミューズメント施設入場情報入力手段からアミューズメント施設入場可能情報が入力されると共に、固有情報入力手段から携帯端末の固有情報が入力され、
前記被印刷部材には、アミューズメント施設入場情報入力装置の印刷手段により任意の画像が印刷され、
前記情報記憶手段内に格納された前記アミューズメント施設入場可能情報の有無がアミューズメント施設情報管理装置のアミューズメント施設入場情報確認手段によって確認される構成となっていることを特徴とするアミューズメント施設情報管理用ＩＣタグ。
【発明の詳細な説明】
【０００１】
【発明の属する技術分野】
本発明は、ＩＣチップを有するＩＣタグを用いたアミューズメント施設情報管理システム及びアミューズメント施設情報管理用ＩＣタグに関するものである。
【０００２】
【従来の技術】
アミューズメント施設の利用者は、予め前売りの入場券を購入しても、当日、入場ゲートは混雑しているので長い列を作り並ぶ必要があった。
これは、入場ゲートで係員が入場券を確認するため時間がかかるのが原因であった。
このような問題を解決するため例えば、スキー場の施設管理のために非接触のＩＣ（集積回路）カードをリフト券とする発明が提案されている（例えば、特許文献１参照。）。
また、駐車場管理システムとして駐車券を非接触のＩＣカードとする発明が提案されている（例えば、特許文献２参照。）。
【０００３】
【特許文献１】
特開平９−１６７２７号公報
【特許文献２】
特開２０００−３１１２２７号公報
【０００４】
【発明が解決しようとする課題】
しかし、テーマパーク等のアミューズメント施設の利用者は若い女性が多く、大型の非接触ＩＣカードを所持するのを敬遠する傾向にある。
このため、若い女性が多く集まるアミューズメント施設の入場券として非接触ＩＣカードが普及し難いという問題があった。
【０００５】
そこで、本発明は若い女性等にも違和感なく所持でき、且つアミューズメント施設の利用関連情報を容易に管理できるＩＣ（集積回路）タグを用いたアミューズメント施設情報管理システム及びアミューズメント施設情報管理用ＩＣタグを提供することを目的とする。
【０００６】
【課題を解決するための手段】
前記目的は、請求項１の発明によれば、非接触且つ近接することで情報の送受信を行うアンテナ手段と、前記アンテナ手段で送受信された情報を格納する情報記憶手段と、を備えるＩＣチップと、任意の画像を表面に印刷可能な被印刷部材と、前記ＩＣチップと前記被印刷部材とを配置するためのタグ本体と、前記タグ本体を携帯端末に接続するための接続部材と、を有するアミューズメント施設情報管理用ＩＣタグと、前記情報記憶手段に、アミューズメント施設入場可能情報を入力するアミューズメント施設入場情報入力手段と、前記携帯端末の固有情報を抽出する固有情報抽出手段と、前記携帯端末の前記固有情報を前記情報記憶手段に記録する固有情報入力手段と、前記アミューズメント施設入場可能情報及び当該携帯端末の固有情報とを関連付けてアミューズメント施設情報管理装置に送信する固有情報等送信手段と、前記被印刷部材に任意の画像を印刷する印刷手段と、を有するアミューズメント施設入場情報入力装置と、前記固有情報等送信手段で送信された前記アミューズメント施設入場可能情報及び前記当該携帯端末の固有情報とを関連付けて記憶する固有情報記憶手段と、前記情報記憶手段内に格納されたアミューズメント施設入場可能情報の有無を確認するためのアミューズメント施設入場情報確認手段と、前記アミューズメント施設入場情報確認手段でアミューズメント施設入場可能情報を確認すると既入場情報を前記固有情報記憶手段に前記携帯端末の固有情報と関連付けて記憶させるアミューズメント施設既入場情報入力手段と、を有するアミューズメント施設情報管理装置と、を備えることを特徴とするアミューズメント施設情報管理システムにより達成される。
【０００７】
請求項１の構成によれば、前記アミューズメント施設情報管理用ＩＣタグは、前記情報記憶手段を有しているので、例えばアミューズメント施設外に配置されている前記アミューズメント施設入場情報入力装置の前記アミューズメント施設入場情報入力手段により前記アミューズメント施設入場可能情報が入力される。そして、前記固有情報入力手段で前記情報記憶手段に接続されている前記携帯端末の前記固有情報、例えば電話番号等が入力される。
また、前記アミューズメント施設情報管理用ＩＣタグは前記アンテナ手段を有している。
【０００８】
このため、前記アミューズメント施設情報管理装置の前記アミューズメント施設入場情報確認手段は、前記アミューズメント施設情報管理用ＩＣタグの前記アミューズメント施設入場可能情報の有無を非接触で確認することができる。
したがって、アミューズメント施設の入場ゲートに前記アミューズメント施設入場情報確認手段を配置すれば、無人化できるので、アミューズメント施設側としても大幅なコストダウンができる。
また、無人化することで係員による入場券の確認がないので、迅速な処理が可能となり、入場ゲート前で長い行列等ができるのを未然に防止することができる。
【０００９】
ところで、この前記アミューズメント施設情報管理用ＩＣタグは、前記タグ本体を携帯端末に接続するための前記接続部材を有しているので、常に、携帯電話等の携帯端末に接続されている。
このため、利用者は、アミューズメント施設の入場ゲート前でバッグ等から別体のＩＣカード等を探し、そして、取り出して入場する必要がなく、常に所持している携帯電話等を取り出し、それに接続されている前記アミューズメント施設情報管理用ＩＣタグを前記アミューズメント施設入場情報確認手段に近づけるだけで入場できるので、使い易くなる。
特に、アミューズメント施設を利用する若い女性等の場合は、バッグ等が小さいため、大型のＩＣカード等は、敬遠する傾向にある。
【００１０】
この点、前記アミューズメント施設情報管理用ＩＣタグは、携帯電話等に接続されているため、携帯電話等を所持することで同時に前記アミューズメント施設情報管理用ＩＣタグを所持することになり、所持が容易となる。
また、前記タグ本体には、前記被印刷部材が配置され、この被印刷部材には、前記アミューズメント施設入場情報入力装置の前記印刷手段により任意の画像を印刷できる構成となっている。
このため、利用者は自己の携帯電話等に接続する前記アミューズメント施設情報管理用ＩＣタグに自己の好きな画像を印刷することができる。
すなわち、常に所持する携帯電話等に接続される前記アミューズメント施設情報管理用ＩＣタグのファッション性等を重視する場合でも、その嗜好性に合致した画像を印刷することができるので、ファッション性を損なうことなく所持することができる。
【００１１】
したがって、年齢、性別を問わず多くの利用者が所持しやすい前記アミューズメント施設情報管理用ＩＣタグとなっている。
ところで、前記アミューズメント施設入場情報入力装置の前記固有情報等送信手段は、前記アミューズメント施設入場可能情報及び当該携帯端末の固有情報とを関連付けてアミューズメント施設情報管理装置に送信する。そして、前記アミューズメント施設情報管理装置の前記固有情報記憶手段に記憶される。
このため、前記アミューズメント施設情報管理用ＩＣタグ内の前記アミューズメント施設入場可能情報は、前記アミューズメント施設情報管理装置にも記憶されることになる。そして、この場合は、前記固有情報が携帯端末の識別番号として機能することになる。
【００１２】
また、前記アミューズメント施設情報管理用ＩＣタグでアミューズメント施設に入場すると、アミューズメント施設既入場情報入力手段によって前記固有情報記憶手段に記憶される。
このとき、前記既入場情報は、前記携帯端末の固有情報と関連付けられて記憶されるため、前記アミューズメント施設情報確認装置の前記固有情報記憶手段内
で前記携帯端末の各種情報を管理することができる。
【００１３】
好ましくは、請求項２の発明によれば、請求項１の構成において、前記アミューズメント施設入場情報入力装置が、利用者情報を入力する利用者情報入力手段と、前記アミューズメント施設入場可能情報、前記携帯端末の固有情報及び前記利用者情報を関連付けてアミューズメント施設情報管理装置に送信する利用者情報等送信手段と、を有し、前記アミューズメント施設情報管理装置が、前記アミューズメント施設入場情報入力装置の前記利用者情報等送信手段で送信された前記アミューズメント施設入場可能情報及び前記携帯端末の固有情報及び前記利用者情報と、前記アミューズメント施設入場情報確認手段の前記既入場情報と、を関連付けて記憶する利用者情報等記憶手段を有し、アミューズメント施設に関する施設関連情報の検索情報を提供する施設情報更新装置を有し、前記施設情報更新装置からの前記検索情報に基づいて前記利用者情報等記憶手段内の前記アミューズメント施設入場可能情報、前記携帯端末の固有情報、前記利用者情報及び前記既入場情報を検索し、前記施設関連情報を提供すべき前記携帯端末を選択する携帯端末選択装置を有し、前記携帯端末選択装置で選択された携帯端末に対し前記施設関連情報を送信する施設関連情報送信手段を有することを特徴とするアミューズメント施設情報管理システムである。
【００１４】
請求項２の構成によれば、前記構成によれば、前記アミューズメント施設入場情報入力装置は、利用者情報を入力する利用者情報入力手段を有するので、利用者の氏名、住所、性別、ｅ−メール番号等の利用者情報を取得することができる。
そして、前記利用者情報等送信手段を介して、前記アミューズメント施設情報管理装置の前記利用者情報等記憶手段に、前記アミューズメント施設入場可能情報、前記携帯端末の固有情報、前記利用者情報及び前記既入場情報が関連付けて記憶される。
このため、前記アミューズメント施設情報管理装置は、前記携帯端末の利用者の各種情報を前記固有情報と関連付けて管理することが可能となる。
【００１５】
また、アミューズメント施設に関する施設関連情報の検索情報を提供する施設情報更新装置を有し、前記施設情報更新装置からの前記検索情報に基づいて前記利用者情報等記憶手段内の前記アミューズメント施設入場可能情報、前記携帯端末の固有情報、前記利用者情報及び前記既入場情報を検索し、前記施設関連情報を提供すべき前記携帯端末を選択する携帯端末選択装置を有し、前記携帯端末選択装置で選択された携帯端末に対し前記施設関連情報を送信する施設関連情報送信手段を有する。
このため、アミューズメント施設で例えば、小学生イベント等の情報を対象入場者に送信したい場合は、前記検索情報が「年齢：６才乃至１１才」なり、この範囲の年齢の利用者情報で、且つ既入場者を検索する。
【００１６】
そして、前記携帯端末選択装置で、これらの条件が合致する既入場者の関連付けられている携帯端末を選択する。
さらに、この選択された携帯端末の例えば、ｅ−メール番号に前記施設関連情報である例えば、小学生イベント等の情報を送信する。
このように、アミューズメント施設内の入場者に対して、リアルタイムで、有効な情報を選択的に個別に送信することができる。
【００１７】
好ましくは、請求項３の発明によれば、請求項１又は請求項２の構成において、アミューズメント施設内のアトラクションの入場を管理するアトラクション入場管理装置を有し、前記アトラクション入場管理装置は、アトラクション利用予約装置とアトラクション入場装置とを有し、前記アトラクション利用予約装置は、前記アミューズメント施設情報管理用ＩＣタグから前記携帯端末の固有情報を取得する固有情報取得手段と、前記アミューズメント施設情報管理用ＩＣタグに前記固有情報と共に、予約情報を入力する予約情報入力手段と、これら予約情報及び前記固有情報を前記アミューズメント施設情報管理の予約情報記憶手段に送信する予約情報等送信手段と、を有し、前記アトラクション入場装置は、アミューズメント施設情報管理用ＩＣタグから入力された前記予約情報及び前記固有情報と、前記予約情報記憶手段内の前記予約情報及び前記固有情報とを照合する予約情報等照合手段を有することを特徴とするアミューズメント施設情報管理システムである。
【００１８】
請求項３の構成によれば、前記アトラクション利用予約装置は、前記アミューズメント施設情報管理用ＩＣタグに前記固有情報と共に、予約情報を入力する予約情報入力手段と、これら予約情報及び前記固有情報を前記アミューズメント施設情報管理の予約情報記憶手段に送信する予約情報等送信手段と、を有し、前記アトラクション入場装置は、アミューズメント施設情報管理用ＩＣタグから入力された前記予約情報及び前記固有情報と、前記予約情報記憶手段内の前記予約情報及び前記固有情報とを照合する予約情報等照合手段を有する。
このため、利用者は例えば、アミューズメント施設の人気のあるアトラクションの前で順番待ちをすることなく、時間予約を行うことができる。
【００１９】
また、この時間予約は、携帯端末に接続されている前記アミューズメント施設情報管理用ＩＣタグを近づけるだけで、自動的に行われるので、利用者の予約の手間が著しく軽減される。
また、アトラクションの入場も、前記アミューズメント施設情報管理用ＩＣタグを近づけるだけで、予約確認ができるので、予約確認が迅速に行われる。
このように、前記アミューズメント施設情報管理用ＩＣタグにより予約及び予約確認が行われるので、アトラクションの入場ゲートの無人化が可能となり、施設のコストを大幅に軽減することができる。
【００２０】
好ましくは、請求項４の発明によれば、請求項１乃至請求項３のいずれかの構成において、前記アミューズメント施設情報管理装置と接続する販売店端末装置を有し、前記販売店端末装置は、前記アミューズメント施設情報管理用タグから前記携帯端末の固有情報を抽出する端末情報抽出手段と、前記端末情報抽出手段で抽出された前記携帯端末の固有情報と、販売店の販売情報とを関連付けてアミューズメント施設情報管理装置に送信する販売情報等送信手段と、を有し、前記アミューズメント施設情報管理装置は、前記販売店端末装置の前記販売情報等送信手段で送信された前記携帯端末の固有情報と、販売店の販売情報とを関連付けて登録する販売店情報等記憶手段を有することを特徴とするアミューズメント施設情報管理システムである。
【００２１】
請求項４の構成によれば、前記端末情報抽出手段で抽出された前記携帯端末の固有情報と、販売店の販売情報とを関連付けてアミューズメント施設情報管理装置に送信する販売情報等送信手段と、を有し、前記アミューズメント施設情報管理装置は、前記販売店端末装置の前記販売情報等送信手段で送信された前記携帯端末の固有情報と、販売店の販売情報とを関連付けて登録する販売店情報等記憶手段を有する。
このため、アミューズメント施設の利用者の商品購入情報も管理することができる。
【００２２】
前記目的は、請求項５の発明によれば、非接触且つ近接することで情報の送受信を行うアンテナ手段と、前記アンテナ手段で送受信された情報を格納する情報記憶手段と、を備えるＩＣチップと、任意の画像を表面に印刷可能な被印刷部材と、前記ＩＣチップと前記被印刷部材とを配置するためのタグ本体と、前記タグ本体を携帯端末に接続するための接続部材と、を有するアミューズメント施設情報管理用ＩＣタグであって、前記情報記憶手段には、アミューズメント施設入場情報入力装置のアミューズメント施設入場情報入力手段からアミューズメント施設入場可能情報が入力されると共に、固有情報入力手段から携帯端末の固有情報が入力され、前記被印刷部材には、アミューズメント施設入場情報入力装置の印刷手段により任意の画像が印刷され、前記情報記憶手段内に格納された前記アミューズメント施設入場可能情報の有無がアミューズメント施設情報管理装置のアミューズメント施設入場情報確認手段によって確認される構成となっていることを特徴とするアミューズメント施設情報管理用ＩＣタグにより達成される。
【００２３】
請求項５の構成によれば、アミューズメント施設情報管理システムと同様に、前記アミューズメント施設情報管理装置の前記アミューズメント施設入場情報確認手段は、前記アミューズメント施設情報管理用ＩＣタグの前記アミューズメント施設入場可能情報の有無を非接触で確認することができる。
したがって、アミューズメント施設の入場ゲートに前記アミューズメント施設入場情報確認手段を配置すれば、無人化できるので、アミューズメント施設側としても大幅なコストダウンができる。
また、無人化することで係員による入場券の確認がないので、迅速な処理が可能となり、入場ゲート前で長い行列等ができるのを未然に防止することができる。
【００２４】
ところで、この前記アミューズメント施設情報管理用ＩＣタグは、前記タグ本体を携帯端末に接続するための前記接続部材を有しているので、常に、携帯電話等の携帯端末に接続されている。
このため、利用者は、アミューズメント施設の入場ゲート前でバッグ等から別体のＩＣカード等を探し、そして、取り出して入場する必要がなく、常に所持している携帯電話等を取り出し、それに接続されている前記アミューズメント施設情報管理用ＩＣタグを前記アミューズメント施設入場情報確認手段に近づけるだけで入場できるので、使い易くなる。
特に、アミューズメント施設を利用する若い女性等の場合は、バッグ等が小さいため、大型のＩＣカード等は、敬遠する傾向にある。
【００２５】
この点、前記アミューズメント施設情報管理用ＩＣタグは、携帯電話等に接続されているため、携帯電話等を所持することで同時に前記アミューズメント施設情報管理用ＩＣタグを所持することになり、所持が容易となる。
また、前記タグ本体には、前記被印刷部材が配置され、この被印刷部材には、前記アミューズメント施設入場情報入力装置の前記印刷手段により任意の画像を印刷できる構成となっている。
このため、利用者は自己の携帯電話等に接続する前記アミューズメント施設情報管理用ＩＣタグに自己の好きな画像を印刷することができる。
すなわち、常に所持する携帯電話等に接続される前記アミューズメント施設情報管理用ＩＣタグのファッション性等を重視する場合でも、その嗜好性に合致した画像を印刷することができるので、ファッション性を損なうことなく所持することができる。
したがって、年齢、性別を問わず多くの利用者が所持しやすい前記アミューズメント施設情報管理用ＩＣタグとなっている。
【００２６】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２７】
図１は、本発明の実施の形態に係るアミューズメント施設情報管理システム１０を示す概略図である。
アミューズメント施設情報管理システム１０は、アミューズメント施設情報管理装置である例えば、アミューズメント施設１１内に配置される各装置と、施設外販売店１２に配置される各装置とを有すると共に、これら各装置の一部がインターネット網１３を介して接続される構成となっている。
また、携帯端末である例えば、携帯電話機１４は、画面等の表示部やＷｅｂ管理部等を有するので、インターネット網１３に接続可能な構成となっており、例えばｅ−メール等を受信可能な環境となっている。
【００２８】
（ＩＣタグ販売装置２０等について）
図１に示すように、施設外販売店１２には、ＩＣ（集積回路）タグ販売装置２０が配置されている。
図２は図１の施設外販売店１２の構成等を示す概略図である。
図２に示すように、ＩＣタグ販売装置２０には、利用者が挿入した紙幣を数える紙幣カウンタ部２１、紙幣払戻部２３を有すると共に、アミューズメント施設情報管理用ＩＣタグである例えば、ＩＣタグ３０を提供するＩＣタグ払出部２２を有している。
図３（ａ）は、このＩＣタグ３０を示す概略平面図であり、（ｂ）は、ＩＣタグ３０を示す概略底面図であり、（ｃ）は、（ａ）のＸ−Ｘ’線概略断面図である。
図３（ａ）（ｂ）（ｃ）に示すように、ＩＣタグ３０は、塩化ビニール等からなるタグ本体３２を有すると共に、その裏面にはＩＣチップ３１が配置されている。
ＩＣチップ３１は、ＩＣ（集積回路）を有すると共に、非接触且つ近接することで情報の送受信を行うアンテナ部を有している。このＩＣタグ３０は、ＲＦＩＤ（Ｒａｄｉｏ  Ｆｒｅｑｕｅｎｃｙ  Ｉｄｅｎｔｉｆｉｃａｔｉｏｎ：無線を用いた自動認識）を利用しているため、このアンテナ部は接触せず電波を交信することで情報のやりとりが行える構成となっている。
【００２９】
図４は、ＩＣタグ３０の主なソフトウエア構成を示す概略図である。
図４に示すようにＩＣタグ３０にはアンテナ部を介して情報を取得するＩＣタグ情報取得部３３や、アンテナ部を介して情報を出力するＩＣタグ情報出力部３４や、制御部３５を有している。
また、アンテナ部で送受信された情報を格納する情報記憶手段である例えば、ＩＣタグデータベース３６を有している。
ところで、ＩＣタグ３０は、図３（ａ）等に示すように、タグ本体３２を携帯電話機１４に接続するための接続部材である例えば、紐３７を有しており、この紐３７は、携帯電話機１４に取付可能な構成となっている。
また、図３（ｃ）に示すように、タグ本体３２には凹部３２ａが形成されており、この凹部３２ａには後述する画像が印刷された印刷カード４０の一部が配置される構成となっている。
【００３０】
（印刷カード及び入場券販売装置５０等について）
図１に示すように、施設外販売店１２には、アミューズメント施設入場情報入力装置である例えば、印刷カード及び入場券販売装置５０（以下、「印刷カード等販売装置５０」とする）が配置されている。
図５は印刷カード等販売装置５０を示す概略斜視図である。
図５に示すように、印刷カード等販売送受信５０には、画像を表示する表示部（ＬＣＤ）５１を有すると共に、携帯電話機１４を接続するための携帯電話ソケット５２を有している。
図６は携帯電話機１４に携帯電話ソケット５２を接続した状態を示す概略斜視図である。
図６に示すように携帯電話ソケット５２は携帯電話機１４の例えばＵＳＢ接続端子等と接続されるように構成されている。
この携帯電話ソケット５２は携帯電話機１４の固有情報である例えば、電話番号情報を抽出する固有情報抽出手段となっている。
【００３１】
また、印刷カード等販売装置５０には、ＩＣタグ３０のアンテナ部を近接させると情報の送受信が行われるＩＣタグリーダライタ部５３が配置されている。
このＩＣタグリーダライタ部５３は、図４のＩＣタグ３０のＩＣタグデータベース３６にアミューズメント施設入場可能情報である例えば、不使用フラグ情報を入力するアミューズメント施設入場情報入力手段となっている。
すなわち、利用者は紙幣等を投入し、携帯電話機１４を携帯電話ソケット５２に接続し、携帯電話機１４と紐３７を介して接続されているＩＣタグ３０を、ＩＣタグリーダライタ部５３に近づけるだけで、アミューズメント施設１１の入場券を入手することができる構成となっている。
【００３２】
また、このＩＣタグリーダライタ部５３は、携帯電話ソケット５２から入手した携帯電話機１４の電話番号情報を、上述の「不使用フラグ」と関連付けて図４のＩＣタグ３０のＩＣタグデータベース３６に記憶する固有情報入力手段としても機能する。
ここで、携帯電話機１４の電話番号情報は、利用者のＩＤ番号として機能するので、このＩＤ番号については、アミューズメント施設１１の入場券である「不使用フラグ」が認められたことになる。
【００３３】
ところで、図５に示すように印刷カード等販売装置５０には、利用者が、携帯電話番号以外の利用者の氏名、生年月日、住所、ｅ−メール番号等の利用者情報を入力するための利用者情報入力手段である例えば、操作ボタン入力部５４が配置されている。
また、印刷カード等販売装置５０には、カメラ５５、スキャナ５６及びカードプリンタ５７を有している。
このため、カメラ５５で撮影した画像又はスキャナ５６で取り込まれた画像を印刷カード４０の表面にカードプリンタ５７で印刷可能な構成となっている。
すなわち、カードプリンタ５７は、印刷カード４０に任意の画像を印刷する印刷手段の一例となっている。
図７は、このカードプリンタ５７で、任意の画像を表面に印刷可能な被印刷部材である例えば、印刷カード４０を示す概略図である。
印刷カード４０は、樹脂等からなり、図７に示すように印刷領域４１、４２が形成されている。
この印刷領域４１、４２に所望の画像が印刷され、印刷終了後、利用者が印刷領域４１、４２を押し込むことで、破線部分から印刷領域４１、４２が外れる構成となっている。
【００３４】
このように印刷カード４０から外れた印刷領域４１は、図３のＩＣタグ３０の凹部３２ａに嵌め込まれる構成となっている。すなわち、タグ本体３２は、ＩＣチップ３１と印刷領域４１とを共に配置可能な構成となっている。
一方、印刷カード等販売装置５０は、ＩＣタグ３０を所持していない利用者に対しても画像のプリントサービスを行う構成となっている。
すなわち、図７の印刷領域４２は、印刷カード４０から外すと四角形を成し、上部に小穴４２ａが形成される構成となっている。
したがって、この小穴４２ａに紐３７を通すことで携帯電話機１４等に接続して使用することができる構成となっている。
【００３５】
ところで、図２に示すように印刷カード等販売装置５０には、上述の操作ボタン入力部５４等の他に紙幣払戻部５８、紙幣カウンタ部５９等が備わっている。また、中央処理部５０ａ及び送受信装置５０ｂは、上述の「不使用フラグ」及び携帯電話機１４の電話番号情報とを関連付けてアミューズメント施設１１に送信する固有情報等送信手段としての働きを行っている。
すなわち、入場料を支払ったことは「不使用フラグ」情報で、支払った利用者の特定は携帯電話番号情報で特定され、相互に関連付けてアミューズメント施設１１側に送信されることになる。
【００３６】
図８は印刷カード等販売装置５０のソフトウエア構成等を示す概略図である。
図８に示すように、ＩＣタグリーダライタ部５３に対応するＩＣタグ情報取得部６１、携帯電話ソケット５２に対応する携帯電話機情報取得部６２、操作ボタン入力部５４に対応する操作部情報取得部６３、料金情報取得部６４、カメラ５５やスキャナ５６に対応するプリント情報取得部６５を有している。
また、表示部５１に対応する表示制御部６０ａ、カードプリンタ５７に対応するプリンタ制御部６９を有している。
また、ＩＣタグ３０に携帯電話番号を入力する携帯電話番号入力部６７、ＩＣタグ３０に未使用フラグを入力する未使用フラグ入力部６７、中央制御部６０ｃ、印刷カード等販売装置データベース６０ｂを有している。
さらに、アミューズメント施設１１側に未使用フラグ情報、携帯電話番号情報及び利用者情報を発信する未使用フラグ情報、携帯電話番号情報及び利用者情報発信部６６を備えている。
この未使用フラグ情報、携帯電話番号情報及び利用者情報発信部６６が利用者情報等送信手段の一例となる。
【００３７】
（ＩＣタグ用入退場ゲート７０等について）
図９は主にアミューズメント施設入場情報管理手段である例えば、ＩＣタグ用入退場ゲート７０及びＩＣタグ用ハンディ端末装置８０等の主な構成を示す概略図である。
ＩＣタグ用入退場ゲート７０は、アミューズメント施設１１に入場し退場するためのゲートである。そして、図９に示すように、ＩＣタグ用入退場ゲート７０表示部７１、ブザー部７２、メンテナンス用キー操作部７３、フラッパーゲート７４、ゲート駆動部７５、ゲート制御部７６、ホスト通信部７７及びＩＣタグリーダライタ部７８等を有している。
すなわち、ＩＣタグリーダライタ部７８で受信した信号に基づきフラッパーゲート７４が開閉等する構成となっている。
【００３８】
図１０はＩＣタグ用入退場ゲート７０の主なソフトウエア構成等を示す概略図である。
図１０に示すように、図４のＩＣタグ３０のＩＣタグデータベース３６内の「未使用フラグ」情報を取得するＩＣタグ情報取得部７０ａと、制御部７０ｃ、そして、取得した「未使用フラグ」情報を有無を確認するアミューズメント施設入場情報確認手段である例えば、未使用フラグ判断部７０ｄを有している。
そして、この未使用フラグ判断部７０ｄで「未使用フラグ」ありと判断された場合は、ゲート制御部７０ｂによって図９のフラッパーゲート７４が開状態となり、利用者は入場可能となる。
【００３９】
一方、未使用フラグ判断部７０ｄが、「未使用フラグ」を確認すると、既入場情報生成部が既入場情報を生成する。
そして、ＩＣタグ情報取得部７０ａで取得したＩＣタグ３０の携帯電話番号情報と、この既入場情報を関連付けて携帯電話番号及び既入場情報発信部７０ｆが後述する管理サーバ９０へ送信する。
この携帯電話番号及び既入場情報発信部７０ｆがアミューズメント施設既入場情報入力手段の一例となる。
【００４０】
（ＩＣタグ用ハンディ端末装置８０等について）
ＩＣタグ用ハンディ端末装置８０は、ＩＣタグ用入退場ゲート７０が故障した際に用いられるため、キー操作部８１及び履歴メモリ部８２以外は、図９のＩＣタグ用入退場ゲート７０の構成と多くの構成が同様であり、同一の符号を付して説明を省略する。
【００４１】
（受付端末装置１００等について）
受付端末装置１００は、図９のＩＣタグ用入退場ゲート７０やＩＣタグ用ハンディ端末装置８０で、入退場できない利用者が用いる装置である。
図１１は受付端末装置１００、管理サーバ９０等の主な構成を示す概略図である。
図１１に示すように受付端末装置１００は、受付端末本体１０１と、ＩＣタグ３０から情報を入力等するためのＩＣタグリーダライタ部１０２、帳票プリンタ１０３が配置されている。
また、管理サーバ９０と接続するためのホスト間通信部１０４が配置されている。
この受付端末装置１００でＩＣタグ３０から「未使用フラグ」等の情報を得られなかったときは、管理サーバ９０の情報を確認し、臨時タグ等を交付する構成となっている。
【００４２】
（アトラクション入場管理装置１１０等について）
アトラクション入場管理装置１１０は、アミューズメント施設１１内のアトラクション毎に配置され、混雑し入場待ちの場合に予約受付等を行う装置である。
図１１に示すようにアトラクション入場管理装置１１０には、表示部１１２、キー操作部１１１、ＩＣタグリーダライタ部１１３及びホスト間通信部１１４等を有している。
図１２はアトラクション入場管理装置１１０の主なソフトウエア構成等示す概略図である。
図１２に示すようにアミューズメント施設１１内のアトラクションの入場を管理するアトラクション入場管理装置１１０は、アトラクション利用予約装置１２０とアトラクション入場装置１３０とを有している。
【００４３】
アトラクション利用予約装置１２０は、ＩＣタグ３０のＩＣタグデータベース３６から携帯電話機１４の電話番号情報を取得する固有情報取得手段である例えば、携帯電話番号情報取得部１２４を有している。
また、アトラクション利用予約装置１２０は、ＩＣタグ３０に携帯電話機の電話番号情報と共に、予約情報を入力する予約情報入力手段である例えば、予約情報及び携帯電話番号情報出力部１２５を有している。
そして、アトラクション利用予約装置１２０は、予約情報等送信手段である例えば、予約情報及び携帯電話番号情報発信部１２３を有しているので、管理サーバ９０に予約情報を送信することができる構成となっている。また、これらを制御する制御部１２１も配置されている。
【００４４】
したがって、アトラクション利用予約装置１２０があれば、利用者は自己のＩＣタグ３０を図１１のＩＣタグリーダライタ部１１３に近づけるだけで、予約することができることになる。
すなわち、例えば、利用者はアミューズメント施設１１の人気のあるアトラクションの前で順番待ちをすることなく、時間予約等を行うことができる。
また、時間予約等は携帯電話機１４に接続されたＩＣタグ３０をＩＣタグリーダライタ部１１３に近づけるだけで自動的に行われるので、利用者の予約確認が迅速に行われる。
【００４５】
一方、図１２に示すようにアトラクション入場管理装置１１０はアトラクション入場装置１３０を有している。
アトラクション入場装置１３０には、ＩＣタグ３０から入力された予約情報及び携帯電話番号情報を取得する携帯電話番号情報取得部１３１を有している。
そして、管理サーバ９０に予約情報及び携帯電話番号情報を問い合わせる予約情報及び携帯電話番号情報問い合わせ部１３４を有している。
さらに、予約情報及び携帯電話番号情報問い合わせ部１３４の問い合わせに応じて、予約情報及び携帯電話番号情報を受信する予約情報及び携帯電話番号情報受信部１３５を有している。
そして、予約情報及び携帯電話番号情報取得部１３１で取得した予約情報及び携帯電話番号情報と、予約情報及び携帯電話番号情報受信部１３５で管理サーバ９０から受信した予約情報及び携帯電話番号情報とを照合する予約情報等照合手段である例えば、照合部１３３を有している。また、制御部１３６を有している。
【００４６】
したがって、利用者が予約時間にアトラクションに入場する場合は、ＩＣタグ３０を図１１のＩＣタグリーダライタ部１１３に近づけるだけで、予約確認が自動的にできるので、予約確認を迅速に行うことができる。
このように利用者が携帯電話機１４に接続して所持しているＩＣタグ３０により、アトラクションの予約及び予約確認が行われるので、アトラクション入場管理装置１１０の無人化が可能となり、施設のコストを大幅に軽減することができる。
また、図１４に示すように、管理サーバ９０は予約時間検索部１９０を有している。この予約時間検索部１９０は、予約データベース１５７及び予約情報及び携帯電話番号抽出部１５９に接続されていると共に、予約情報及び携帯電話番号抽出部１５９は情報発信部１６８に接続されている。
したがって、例えば、予約時間検索部１９０は、予約時間の１０分前に該当する予約情報を予約データベース１５７から取得する。また、予約情報及び携帯電話番号抽出部１５９は、当該予約情報を有する携帯電話機１４のｅ−メールアドレスを予約データベース１５７から取得するように構成されている。
このため、予約時間の１０分前に該当する携帯電話機１４に対して、情報発信部１６８がその旨、ｅ−メールで通知することができる。
これにより、利用者は予約をすれば、予約時間の１０分前に携帯電話機１４に連絡を受けることができるので、安心してアミューズメント施設１１内の他のアトラクション等に行くことができる。
【００４７】
（ＰＯＳ連携端末装置１４０等について）
アミューズメント施設１１と情報が接続されている販売店端末装置である例えば、ＰＯＳ連携端末装置１４０は、図１１に示すように構成されている。
すなわち、ＩＣタグリーダライタ部１４１、キー操作部１４２及びホスト間通信部１４４等を有している。
図１３は、ＰＯＳ連携端末装置１４０のソフトウエア構成等を示す概略図である。
【００４８】
図１３に示すように、ＩＣタグ３０から携帯端末電話番号情報を抽出する端末情報抽出手段である例えば、携帯電話番号情報取得部１４５と、販売店の販売品情報を取得する販売品情報取得部１４６とを有している。
そして、携帯電話番号情報取得部１４５で取得された携帯電話番号情報と、販売店情報取得部１４６で取得された販売品情報とを関連付けて管理サーバ９０に送信する携帯電話番号情報及び販売品情報発信部１４７を有している。
したがって、管理サーバ９０は、アミューズメント施設１１の利用者の個別情報に基づく商品購入情報を取得することができるので、商品管理をより精度良く行うことができる。
【００４９】
（管理サーバ９０等について）
図１１に示すように、管理サーバ９０は、ハブ９７を介して、ホスト間通信部９１を有している、ホスト間通信部９１は、図１１に示すように各装置のホスト間通信部１０４等と接続されている。
また、管理サーバ９０は、各種データベース等を有する園内サーバ９２を有すると共に、Ｗｅｂサーバ９５、メールサーバ９６及び送受信装置９３を有するので、インターネット網１３を介して情報の通信が可能な構成となっている。
図１４は管理サーバ９０のソフトウエア構成等を示す概略図である。
図１４に示すように、管理サーバ９０は図８の印刷カード等販売装置５０の未使用フラグ情報、携帯電話番号情報及び利用者情報発信部６６からインターネット網１３を介して送信された情報を受信する未使用フラグ情報、携帯電話番号及び利用者情報取得部１５１を有している。
この未使用フラグ情報、携帯電話番号及び利用者情報取得部１５１で取得された情報は顧客データベース入力部１５２を介して顧客データベース１５３に格納される。
図１５は、顧客データベース１５３のデータ例である。
図１５に示すように、携帯電話番号情報、氏名、生年月日、住所等の利用者情報、未使用フラグ情報に基づく有効期限履歴等の情報が携帯電話番号情報と関連付けて格納されている。
すなわち、顧客データベース１５３は、固有情報記憶手段の一例となっている。
【００５０】
また、図１０のＩＣタグ用入退場ゲート７０の携帯電話番号及び既入場情報発信部７０ｅからの情報は、図１４の携帯電話番号及び既入場情報取得部１５４で取得され、顧客データベース入力部１５２を介して顧客データベース１５３に格納される。
すなわち、図１５の顧客データベース１５３の最新入場日・時刻等が登録され、この情報も携帯電話番号情報との関連で登録される。
すなわち、顧客データベース１５３は、利用者情報等記憶手段の一例ともなっている。
【００５１】
また、管理サーバ９０は、図１２のアトラクション入場管理装置１１０のアトラクション利用予約装置１２０の予約情報及び携帯電話番号情報発信部１２３から情報を取得する予約情報及び携帯電話番号取得部１５５を有している。
この予約情報及び携帯電話番号取得部１５５で取得された情報は、予約データベース入力部１５６を介して予約データベース１５７に格納される構成となっている。
すなわち、予約データベース１５７は予約情報及び携帯電話番号情報を関連付けて登録する予約情報記憶手段の一例となっている。
【００５２】
また、管理サーバ９０は、図１２のアトラクション入場装置１３０の予約情報及び携帯電話番号情報問い合わせ部１３４からの情報を取得する問い合わせ情報取得部１５８を有し、この情報に基づき予約情報及び携帯電話番号抽出部１５９が予約データベース１５７から必要な情報を抽出し、予約情報及び携帯電話番号発信部１６１が図１２のアトラクション入場装置１３０の予約情報及び携帯電話番号情報受信部に情報を発信する。
【００５３】
また、管理サーバ９０は、図１３のＰＯＳ連携端末装置１４０の携帯電話番号情報及び販売品情報発信部１４７からの情報を受信する携帯電話番号情報及び販売品情報取得部１６２を有している。
この携帯電話番号情報及び販売品情報取得部１６２で取得された情報は、販売店情報データベース入力部１６３を介して販売店情報等データベース１６４に格納される。
このとき、顧客データベース情報取得部１６５で顧客データベース１５３の情報を取得できるので販売店情報等データベース１６４では携帯電話番号情報、販売店情報に更に利用者情報等を関連付けて登録することができるので、より精度の高いデータベースとなる。
すなわち、販売店情報等データベース１６４は販売店等記憶手段の一例となる。
【００５４】
ところで、図１１に示すようにアミューズメント施設１１に関する施設関連情報の検索情報を提供する施設情報更新装置である例えば、園内情報更新端末装置１８０がインターネット網１３を介して管理サーバ９０に接続されている。
これは、例えば、アミューズメント施設１１で小学生を対象にしたイベントを行う等の情報である。
この場合に検索情報を「年齢：６才乃至１１才」として園内情報更新端末装置１８０から管理サーバ９０へ情報を発信すると、図１４の検索情報取得部１６６がこの情報を取得する。
検索部１６７が、顧客データベース１５３内の入場情報、生年月日情報から現在、アミューズメント施設１１内にいる該当者を検索し、該当者のｅ−メール番号等を検索する。
すなわち、検索部１６７は携帯端末選択装置の一例である。
その後、管理サーバ９０の施設関連情報送信手段である例えば、情報発信部１６８が、図１１に示すようにインターネット網１３を介して該当利用者の携帯電話機１４にイベントのお知らせを流すことになる。
【００５５】
したがって、アミューズメント施設１１の来場者に対してリアルタイムで的確且つ有効な情報を選択的に提供することができる。
以上が本実施の形態に係るアミューズメント施設情報管理システム１０の構成であるが、以下、その利用例の一部を説明する。
（ＩＣタグ３０で入場券の購入について）
図１６及び図１７はＩＣタグ３０で入場券を購入する概略フローチャートである。
まず、ＳＴ１で入場券と印刷カード４０を両方購入するか否かを判断し、入場券を購入しない場合は、ＳＴ２でカメラ撮影等をし、ＳＴ３で印刷カード４０へ印刷される。
すなわち、図７の印刷カード４０の印刷領域４２に所望の印刷が行われ、利用者は図７の破線部分を押し抜いて携帯電話機１４等に付けて楽しむことができる。
【００５６】
次に、ＩＣタグ３０を印刷カード等販売装置５０のＩＣタグリーダライタ部５３に近づける（ＳＴ４）と、「入場回数」のデータを読み出し（ＳＴ５）、一回以上の場合は、図２の印刷カード等販売装置５０の表示部５１に、リピート挨拶のメッセージが表示される（ＳＴ７）。
次に、携帯電話機１４を図２の携帯電話機Ｉ／Ｆ部に接続し（ＳＴ８）、印刷カード等販売装置５０の図８の携帯電話機情報取得部６２が携帯電話番号情報を取得する（ＳＴ９）。
次に、図２の操作ボタン入力部５４で利用者が氏名、生年月日、住所等の利用者情報を入力する（ＳＴ１０）。
利用者が購入する入場券の種別を操作ボタン入力部５４で選択する（ＳＴ１１）。
【００５７】
次に、入場料紙幣を投入し（ＳＴ１２）、図２のカメラ５５又はスキャナ５６で写真撮影等を行う（ＳＴ１３）。
図２の表示部５１に取り込んだ写真等を表示する（ＳＴ１４）。
プリントＯＫか否かを、操作ボタン入力部５４で選択する（ＳＴ１５）。そして、印刷カード４０へ図２のカードプリンタ５７が印刷する（ＳＴ１６）。
具体的には、図７の印刷領域４１の部分に写真等がプリントされる。
プリントされた後、図７の印刷領域４１を押し抜いて外し、図３のＩＣタグ３０の凹部３２ａに取り付けることにより、自分の嗜好性に合い、且つファッション性も高いＩＣタグ３０となる。
このようなＩＣタグ３０であれば、携帯電話機１４に紐３７で簡単に取り付けることができ、ＩＣタグ３０も大きくないので、携帯に便利なＩＣタグ３０となる。
【００５８】
次に、図８の印刷カード等販売装置５０の未使用フラグ入力部６７や携帯電話番号入力部６８は図４のＩＣタグ３０のＩＣデータベース３６に「未使用フラグ」「有効期限」「入場券種別」「携帯電話番号」「購入日」「購入店コード」等の情報を格納する（ＳＴ１７）。
図１８はＩＣタグデータベース３６のデータ例を示す概略図である。
具体的には、図１８に示すような情報を格納する。
次に、領収書を発行する（ＳＴ１８）。具体的には、図２の印刷カード等販売装置５０のジャーナルプリンタ５０ｃが領収書を発行する。
次に、印刷カード等販売装置５０の図８の未使用フラグ情報、携帯電話番号情報及び利用者情報発信部６６が管理サーバ９０へ情報を送信する（ＳＴ１９）。
そして、管理サーバ９０の図１４の顧客データベース１５３に格納される。
これにより、アミューズメント施設１１の入場券の購入が終了する。
【００５９】
（ＩＣタグ３０で入場する場合について）
図１９及び図２０はＩＣタグ３０でアミューズメント施設１１に入場する概略フローチャートである。
まず、図９のＩＣタグ用入退場ゲート７０のＩＣタグリーダライタ部７８にＩＣタグ３０を近づける（ＳＴ２１）。
ＩＣタグリーダライタ部７８がＩＣタグ３０の情報を読みとれるか否かを判断し（ＳＴ２２）、３回以上読みとれない場合（ＳＴ２３）は、図１１の受付端末装置１００へＩＣタグ３０を持参する（ＳＴ２４）。
そして、ＩＣタグ３０を図１１のＩＣタグリーダライタ部１０２に近づける（ＳＴ２５）。
情報の読み取りが出来ないときは（ＳＴ２６）、エラーが表示され（ＳＴ２７）、利用者が持っている領収書や携帯電話番号から管理サーバ９０の図１４の顧客データベース１５３へ問い合わせを行い、利用者が入場券を購入した事実を確認する。
【００６０】
そして、未使用フラグや有効期間を確認し（ＳＴ２９）、臨時タグの登録（ＳＴ３０）、臨時タグの発行／引渡を行って（ＳＴ３１）、入場する。
一方、ＳＴ２９で、確認等が出来ないときはエラー表示（ＳＴ３２）が出て、その旨、利用者にアナウンスして（ＳＴ３３）、終了する。
【００６１】
ところで、ＳＴ２２でＩＣタグ３０の情報が読める場合は、ＩＣタグ３０の図４のＩＣタグデータベース３６内に未使用フラグがあり有効期限内か否かが判断される（ＳＴ３２）。
未使用フラグがない場合は、エラーが表示され（ＳＴ３３）、ＳＴ２４となる。
一方、未使用フラグ有る場合は、図４のＩＣタグデータベース３６に「使用済みフラグ」「入場回数」「入場日付時刻」等を書き込む（ＳＴ３４）。
次に、この書き込みが行われたか否かが判断され、３回以上書き込みに失敗したら（ＳＴ３６）、ＳＴ２４となる。
書き込みに成功すると、ＩＣタグ用入退場ゲート８０が開き（ＳＴ３７）、図１０に示すＩＣタグ用入退場ゲート７０の携帯電話番号及び既入場情報発信部７０ｆが管理サーバ９０へ情報を送信する（ＳＴ３８）。
そして、図１４に示す管理サーバ９０の顧客データベース１５３内に「入場回数」「最新入場日・時刻」等の情報が更新される（ＳＴ３９）。
以上の過程を経て利用者はアミューズメント施設１１に入場することとなる。
【００６２】
したがって、アミューズメント施設１１の入退場ゲートに、ＩＣタグ用入退場ゲート７０を配置すれば、入退場ゲートを無人化できるのでアミューズメント施設１１側としても、大幅なコストダウンを図ることができる。
また、無人化することで係員による入場券の確認がないので、迅速な処理が可能となり、入場ゲート前で長い行列等ができるのを未然に防止することができる。
ところで、ＩＣタグ３０は紐３７によって携帯電話機１４に常に接続されているので、利用者は、アミューズメント施設１１の入場ゲート前でバッグから別体のＩＣカード等を探し、そして、取り出して入場する必要がない。
すなわち、常に所持している携帯電話機１４を取り出し、それに付いているＩＣタグ３０をＩＣタグ用入退場ゲート７０に近づけるだけで入場できるので、利用者にとって使い易いＩＣタグ３０となる。
【００６３】
特に、アミューズメント施設１１を利用する若い女性等の場合は、バッグ等が小さいため、大型のＩＣカード等は、敬遠する傾向にある。
この点、ＩＣタグ３０は、携帯電話機１４に付いているため、携帯電話機１４を所持することで同時にＩＣタグ３０を所持することになり、所持が容易となる。
また、ＩＣタグ３０のタグ本体３２には、印刷カード４０の印刷領域４１が配置され、この印刷領域４１には、任意の画像を印刷できる構成となっている。
このため、利用者は自己の携帯電話機１４に付けるＩＣタグ３０に自己の好きな画像を印刷することができる。
すなわち、常に所持する携帯電話機１４に付けるＩＣタグ３０のファッション性等を重視する場合でも、その嗜好性に合致した画像を印刷することができるので、ファッション性を損なうことなく所持することができる。
【００６４】
したがって、年齢、性別を問わず多くの利用者が所持しやすいＩＣタグ３０となっている。
また、携帯電話機１４の電話番号は、管理サーバ９０の顧客データベース１５３内に識別番号として格納される。
このため、この携帯電話番号と他の利用者情報等を関連付けることで、各種の情報を管理することができる。
【００６５】
本発明は、上述の各実施の形態に限定されない。さらに、上述の各実施の形態は、相互に組み合わせて構成するようにしてもよい。
【００６６】
【発明の効果】
以上述べたように、本発明によれば、若い女性等にも違和感なく所持でき、且つアミューズメント施設の利用関連情報を容易に管理できるＩＣ（集積回路）タグを用いたアミューズメント施設情報管理システム及びアミューズメント施設情報管理用ＩＣタグを提供することができる。
【図面の簡単な説明】
【図１】本発明の実施の形態に係るアミューズメント施設情報管理システムを示す概略図である。
【図２】図１の施設外販売店の構成等を示す概略図である。
【図３】（ａ）は、このＩＣタグを示す概略平面図であり、（ｂ）は、ＩＣタグを示す概略底面図であり、（ｃ）は、（ａ）のＸ−Ｘ’線概略断面図である。
【図４】ＩＣタグの主なソフトウエア構成を示す概略図である。
【図５】印刷カード等販売装置を示す概略斜視図である。
【図６】携帯電話機に携帯電話ソケットを接続した状態を示す概略斜視図である。
【図７】カードプリンタで、任意の画像を表面に印刷可能な被印刷部材である例えば、印刷カードを示す概略図である。
【図８】印刷カード等販売装置のソフトウエア構成等を示す概略図である。
【図９】主にアミューズメント施設入場情報管理手段である例えば、ＩＣタグ用入退場ゲート及びＩＣタグ用ハンディ端末装置等の主な構成を示す概略図である。
【図１０】ＩＣタグ用入退場ゲート７０の主なソフトウエア構成等を示す概略図である。
【図１１】受付端末装置、管理サーバ等の主な構成を示す概略図である。
【図１２】アトラクション入場管理装置の主なソフトウエア構成等示す概略図である。
【図１３】ＰＯＳ連携端末装置のソフトウエア構成等を示す概略図である。
【図１４】管理サーバ９０のソフトウエア構成等を示す概略図である。
【図１５】顧客データベースのデータ例である。
【図１６】ＩＣタグで入場券を購入する概略フローチャートである。
【図１７】ＩＣタグで入場券を購入する他の概略フローチャートである。
【図１８】ＩＣタグデータベースのデータ例を示す概略図である。
【図１９】ＩＣタグでアミューズメント施設に入場する概略フローチャートである。
【図２０】ＩＣタグでアミューズメント施設に入場する他の概略フローチャートである。
【符号の説明】
１０・・・アミューズメント施設情報管理システム、１１・・・アミューズメント施設、１２・・・施設外販売店、１３・・・インターネット網、１４・・・携帯電話機、２０・・・ＩＣタグ販売装置、２１・・・紙幣カウンタ部、２２・・・ＩＣタグ払出部、２３・・・紙幣払戻部、３０・・・ＩＣタグ、３１・・・ＩＣチップ、３２・・・タグ本体、３２ａ・・・凹部、３３・・・ＩＣタグ情報取得部、３４・・・ＩＣタグ情報出力部、３５・・・制御部、３６・・・ＩＣタグデータベース、３７・・・紐、４０・・・印刷カード、４１、４２・・・印刷領域、４２ａ・・・小穴、５０・・・印刷カード及び入場券販売装置、５０ａ・・・中央処理部、５０ｂ・・・送受信装置、５０ｃ・・・ジャーナルプリンタ、５１・・・表示部（ＬＣＤ）、５２・・・携帯電話ソケット、５３・・・ＩＣタグリーダライタ部、５４・・・操作ボタン入力部、５５・・・カメラ、５６・・・スキャナ、５７・・・カードプリンタ、５８・・・紙幣払戻部、５９・・・紙幣カウンタ部、６０ａ・・・表示制御部、６０ｂ・・・印刷カード等販売装置データベース、６０ｃ・・・中央制御部、６１・・・ＩＣタグ情報取得部、６２・・・携帯電話機情報取得部、６３・・・操作部情報取得部、６４・・・料金情報取得部、６５・・・プリント情報取得部、６６・・・未使用フラグ情報、携帯電話番号情報及び利用者情報発信部、６７・・・未使用フラグ入力部、６８・・・携帯電話番号入力部、６９・・・プリンタ制御部、７０・・・ＩＣタグ用入退場ゲート、７１・・・表示部、７２・・・ブザー部、７３・・・メンテナンス用キー操作部、７４・・・フラッパーゲート、７５・・・ゲート駆動部、７６・・・ゲート制御部、７７・・・ホスト通信部、７８・・・ＩＣタグリーダライタ部、７０ａ・・・ＩＣタグ情報取得部、７０ｂ・・・ゲート制御部、７０ｃ・・・制御部、７０ｄ・・・未使用フラグ判断部、７０ｅ・・・携帯電話番号及び既入場情報発信部、７０ｆ・・・携帯電話番号及び既入場情報発信部、８０・・・ＩＣタグ用ハンディ端末装置、８１・・・キー操作部、８２・・・履歴メモリ部、９０・・・管理サーバ、９１・・・ホスト間通信部、９２・・・園内サーバ、９３・・・送受信装置、９５・・・Ｗｅｂサーバ、９６・・・メールサーバ、９７・・・ハブ、１００・・・受付端末装置、１０１・・・受付端末本体１０１、１０２・・・ＩＣタグリーダライタ部、１０３・・・帳票プリンタ、１０４・・・ホスト間通信部、１１０・・・アトラクション入場管理装置、１１１・・・キー操作部、１１２・・・表示部、１１３・・・ＩＣタグリーダライタ部、１１４・・・ホスト間通信部、１２０・・・アトラクション利用予約装置、１２１・・・制御部、１２３・・・予約情報及び携帯電話番号情報発信部、１２４・・・携帯電話番号情報取得部、１２５・・・予約情報及び携帯電話番号情報出力部、１３０・・・アトラクション入場装置、１３１・・・予約情報及び携帯電話番号情報取得部、１３３・・・照合部、１３４・・・予約情報及び携帯電話番号情報問い合わせ部、１３５・・・予約情報及び携帯電話番号情報受信部、１３６・・・制御部、１４０・・・ＰＯＳ連携端末装置、１４１・・・ＩＣタグリーダライタ部、１４２・・・キー操作部、１４４・・・ホスト間通信部、１４５・・・携帯電話番号情報取得部、１４６・・・販売品情報取得部、１４７・・・携帯電話番号情報及び販売品情報発信部、１５１・・・未使用フラグ情報、携帯電話番号及び利用者情報取得部、１５２・・・顧客データベース入力部、１５３・・・顧客データベース、１５４・・・携帯電話番号及び既入場情報取得部、１５５・・・予約情報及び携帯電話番号取得部、１５６・・・予約データベース入力部、１５７・・・予約データベース、１５８・・・問い合わせ情報取得部、１５９・・・予約情報及び携帯電話番号抽出部、１６１・・・予約情報及び携帯電話番号発信部、１６２・・・携帯電話番号情報及び販売品情報取得部、１６３・・・販売店情報データベース入力部、１６４・・・販売店情報等データベース、１６５・・・顧客データベース情報取得部、１６６・・・検索情報取得部、１６７・・・検索部、１６８・・・情報発信部、１８０・・・園内情報更新端末装置、１９０・・・予約時間検索部。
【図１】
2005010929.tif 000003
【図２】
2005010929.tif 000004
【図３】
2005010929.tif 000005
【図４】
2005010929.tif 000006
【図５】
2005010929.tif 000007
【図６】
2005010929.tif 000008
【図７】
2005010929.tif 000009
【図８】
2005010929.tif 000010
【図９】
2005010929.tif 000011
【図１０】
2005010929.tif 000012
【図１１】
2005010929.tif 000013
【図１２】
2005010929.tif 000014
【図１３】
2005010929.tif 000015
【図１４】
2005010929.tif 000016
【図１５】
2005010929.tif 000017
【図１６】
2005010929.tif 000018
【図１７】
2005010929.tif 000019
【図１８】
2005010929.tif 000020
【図１９】
2005010929.tif 000021
【図２０】
2005010929.tif 000022